(57)【要約】【課題】遊技機の傾きを容易に調整することができる島設備を提供すること。【解決手段】パチンコ遊技機を設置するための島設備であって、パチンコ遊技機の外枠体が取り付けられる上設置板６１と、上設置板６１を支持する支持部と、を備え、上設置板６１は、支持部に対して、パチンコ遊技機の傾きを調整する調整方向（前後方向）に沿って移動可能に構成されている。【選択図】図４
2018064763.tif 000002
【特許請求の範囲】
【請求項１】
遊技機を設置するための島設備であって、
遊技機の枠体が取り付けられる取付部と、
前記取付部を支持する支持部と、を備え、
前記取付部の少なくとも一部は、前記支持部に対して、遊技機の傾きを調整する調整方向に沿って移動可能に構成されていることを特徴とする島設備。
【請求項２】
前記取付部は、前記枠体のうち第１部位が取り付けられる第１取付部と、前記第１部位とは反対側の第２部位が取り付けられる第２取付部と、を含み、
前記第１取付部は、前記支持部に対して移動可能に構成されている一方で、前記第２取付部は、前記支持部に対して移動不能に固定されている請求項１に記載の島設備。
【請求項３】
前記支持部のうち前記第１取付部と対向している対向部において、前記調整方向に沿って延びている長孔と、
前記対向部を挟んで前記第１取付部の反対側に配置されている第１連結部と、
前記長孔に挿通された状態で前記第１取付部と前記第１連結部とを連結している第２連結部と、を備えている請求項２に記載の島設備。
【請求項４】
前記第２連結部によって前記第１取付部と前記第１連結部とが連結されている状態において、前記第１取付部と前記第１連結部との離間距離は、少なくとも一部において前記対向部の厚さよりも長い請求項３に記載の島設備。
【請求項５】
前記第１連結部は、前記第１取付部の移動に伴って、前記調整方向における前記対向部の第１端部と、該第１端部とは反対側の第２端部と、の間の範囲内において移動可能に構成されている請求項３又は請求項４に記載の島設備。
【発明の詳細な説明】
【技術分野】
【０００１】
この発明は、遊技機を設置するための島設備に関するものである。
【背景技術】
【０００２】
従来、遊技機の一種であるパチンコ遊技機は、島設備に備えられた取付部に対して、外枠を釘打ちすることによって取り付けられている（例えば、特許文献１）。
【先行技術文献】
【特許文献】
【０００３】
【特許文献１】特開２００３−０６２３０４号公報
【発明の概要】
【発明が解決しようとする課題】
【０００４】
ところで、遊技機の傾きは、遊技機に備えられた遊技盤の遊技領域を流下するときの遊技球の流下態様に大きな影響を与え得る。しかしながら、従来の島設備では、移動不能に固定された取付部に対して、遊技機の外枠を釘打ちするようになっていることから、遊技機の傾きを調整することが困難であった。
【０００５】
この発明の目的は、遊技機の傾きを容易に調整することができる島設備を提供することである。
【課題を解決するための手段】
【０００６】
上記課題を解決する島設備は、遊技機を設置するための島設備であって、遊技機の枠体が取り付けられる取付部と、前記取付部を支持する支持部と、を備え、前記取付部の少なくとも一部は、前記支持部に対して、遊技機の傾きを調整する調整方向に沿って移動可能に構成されていることを要旨とする。
【０００７】
上記島設備について、前記取付部は、前記枠体のうち第１部位が取り付けられる第１取付部と、前記第１部位とは反対側の第２部位が取り付けられる第２取付部と、を含み、前記第１取付部は、前記支持部に対して移動可能に構成されている一方で、前記第２取付部は、前記支持部に対して移動不能に固定されている。
【０００８】
上記島設備について、前記支持部のうち前記第１取付部と対向している対向部において、前記調整方向に沿って延びている長孔と、前記対向部を挟んで前記第１取付部の反対側に配置されている第１連結部と、前記長孔に挿通された状態で前記第１取付部と前記第１連結部とを連結している第２連結部と、を備えている。
【０００９】
上記島設備について、前記第２連結部によって前記第１取付部と前記第１連結部とが連結されている状態において、前記第１取付部と前記第１連結部との離間距離は、少なくとも一部において前記対向部の厚さよりも長い。
【００１０】
上記島設備について、前記第１連結部は、前記第１取付部の移動に伴って、前記調整方向における前記対向部の第１端部と、該第１端部とは反対側の第２端部と、の間の範囲内において移動可能に構成されている。
【発明の効果】
【００１１】
本発明によれば、遊技機の傾きを容易に調整することができる。
【図面の簡単な説明】
【００１２】
【図１】パチンコ遊技機を設置した状態の島設備を模式的に示す正面図。
【図２】パチンコ遊技機を模式的に示す斜視図。
【図３】図１に示す３−３線断面図。
【図４】傾き調整機構を模式的に示す斜視図。
【図５】上台枠の下枠材を模式的に示す斜視図。
【図６】上設置板を模式的に示す斜視図。
【図７】（ａ）は調整ブロックを模式的に示す正面図、（ｂ）は同じく平面図、（ｃ）は同じく底面図、（ｄ）は同じく左側面図、（ｅ）は同じく右側面図、（ｆ）は同じく背面図。
【図８】図４に示す８−８線断面図。
【図９】（ａ）及び（ｂ）は、傾き調整機構の動作を説明するための説明図。
【図１０】別の実施形態における傾き調整機構を模式的に示す斜視図。
【図１１】別の実施形態における傾き調整機構を模式的に示す斜視図。
【発明を実施するための形態】
【００１３】
以下、島設備の一実施形態について説明する。
本明細書における上、下、左、右、前（表）、及び後（裏）は、島設備に遊技機を設置した状態において、該遊技機で遊技を行う者（以下、遊技者という）から見たときの各方向を示すものとする。
【００１４】
図１に示すように、本実施形態の島設備１０は、遊技機としてのパチンコ遊技機１１を設置するための設備である。島設備１０は、遊技店などの設置場所に設置される。島設備１０は、複数のパチンコ遊技機１１を左右方向に沿って並ぶように設置可能に構成されている。なお、本実施形態の島設備１０は、該島設備１０の一方側にのみパチンコ遊技機１１を設置可能に構成されている。
【００１５】
本実施形態において、左右方向は、島設備１０及びパチンコ遊技機１１の幅方向に相当し、上下方向は、島設備１０及びパチンコ遊技機１１の高さ方向に相当し、前後方向は、島設備１０及びパチンコ遊技機１１の奥行き方向に相当する。
【００１６】
まず、パチンコ遊技機１１について説明する。
図２に示すように、パチンコ遊技機１１は、遊技枠体１２を備えている。遊技枠体１２は、外枠体２０と、中枠体３０と、前枠体４０と、を備えている。
【００１７】
外枠体２０は、島設備１０に固定される固定用の枠体である。外枠体２０は、天板２１、底板２２、左側板２３、及び右側板２４を備えており、正面視において、開口部２０ａを有する縦長の四角枠状である。本実施形態において、外枠体２０は、パチンコ遊技機１１の外郭をなしている。外枠体２０の天板２１及び底板２２は、ベニヤ板などのように釘打ちが可能な木製であり、左側板２３及び右側板２４は、アルミニウムなどの金属製である。天板２１及び底板２２は、釘打ちが可能な材料製であれば、樹脂材料製であってもよい。
【００１８】
中枠体３０は、他の部材を搭載するための枠体である。以下の説明では、遊技枠体１２に搭載されている部材を搭載部材と示す。中枠体３０は、正面視において、縦長の四角枠状である。中枠体３０は、開口部２０ａの前面側において、外枠体２０に対して相対的に開放及び閉鎖が可能となるように、外枠体２０の左側板２３に軸支されている。
【００１９】
中枠体３０は、搭載部材の１つとして、遊技盤３１を備えている。
遊技盤３１は、前面側に、遊技媒体としての遊技球が流下する遊技領域３１ａを備えている。例えば、遊技盤３１は、遊技領域３１ａに開口している入賞口として、始動入賞口３２、及び大入賞口３３などを備えている。遊技盤３１は、大入賞口３３を開閉する開閉部材３３ａを備えている。遊技盤３１は、所定の画像を表示する演出を実行する演出表示装置３４を備えている。遊技盤３１は、特別図柄を表示する特別図柄表示装置３５を備えている。遊技盤３１は、該遊技盤３１の後側に、制御基板３６を備えている。制御基板３６は、ＣＰＵなどの処理部と、ＲＡＭやＲＯＭなどの記憶部と、を備えている。制御基板３６の処理部は、記憶部に記憶されているプログラムを実行することによって、各種の処理を実行する。
【００２０】
ここで、制御基板３６の処理部が実行する処理の概略について説明する。
例えば、制御基板３６の処理部は、始動入賞口３２に遊技球が入賞したことを契機として内部抽選（所謂、大当り抽選）を実行する。制御基板３６の処理部は、大当り抽選の結果に基づいて、所定の図柄を変動表示させるとともに、１つの特別図柄を確定停止表示（導出）させる特別図柄変動ゲームを実行するように、特別図柄表示装置３５を制御する。制御基板３６の処理部は、大当り抽選に当選した場合には、上記特別図柄変動ゲームにおいて大当りを認識可能な特別図柄を確定停止表示させたのち、大入賞口３３を開放させる大当り遊技を生起させる。制御基板３６の処理部は、大当り抽選に当選しなかった場合には、上記特別図柄変動ゲームにおいてはずれを認識可能な特別図柄を確定停止表示させる。また、制御基板３６の処理部は、大当り抽選の結果に基づいて、所定の演出を演出装置に実行させる。所定の演出を実行させる演出装置としては、演出表示装置３４や、後述するランプユニット４２及びスピーカユニット４３の中から１又は複数を任意に選択できる。なお、パチンコ遊技機１１が複数の制御基板を備えている場合、上記処理は、複数の制御基板によって分割して実行してもよい。
【００２１】
前枠体４０は、他の部材を搭載するための枠体である。前枠体４０は、正面視において、開口部４０ａを有する縦長の四角枠状である。前枠体４０は、中枠体３０の前面側において、外枠体２０及び中枠体３０対して相対的に開放及び閉鎖が可能となるように、外枠体２０の左側板２３に軸支されている。本実施形態において、枠体３０，４０は、外枠体２０に対して相対的に開放及び閉鎖が可能であり、前枠体４０は、中枠体３０に対して相対的に開放及び閉鎖が可能である。なお、枠体３０，４０は、外枠体２０の右側板２４に軸支されていてもよい。
【００２２】
前枠体４０は、搭載部材の１つとして、ランプユニット４２を備えている。ランプユニット４２は、電球やＬＥＤなどのように、図示しない発光体を内蔵している。ランプユニット４２は、演出の１つとして、内蔵された発光体を点灯、点滅、及び消灯させることで所定の演出を実行する。前枠体４０は、搭載部材の１つとして、スピーカユニット４３，４３を備えている。スピーカユニット４３，４３は、演出の１つとして、人や動物の声、効果音、及び楽曲などの音声を出力する演出を実行する。
【００２３】
前枠体４０は、搭載部材の１つとして、遊技球を貯留する上球皿４４、及び下球皿４５を備えている。前枠体４０は、搭載部材の１つとして、発射ハンドル４６を備えている。パチンコ遊技機１１では、発射ハンドル４６の操作量（回動量）に応じた強度にて、遊技球が遊技領域３１ａに向かって発射される。また、前枠体４０は、搭載部材の１つとして、保護ガラス４７を備えている。保護ガラス４７は、前枠体４０の開口部４０ａを覆っている。保護ガラス４７は、中枠体３０に搭載された遊技盤３１の遊技領域３１ａを保護している。
【００２４】
次に、島設備１０について詳しく説明する。
以下の説明では、前後方向における島設備１０の両端部のうち、一方の端部から他方の縁部までを内側と示す場合がある。また、以下の説明では、島設備１０において、前後方向における一方の端部よりも他方の端部とは反対側、及び、他方の端部よりも一方の端部とは反対側を、島設備１０の外側と示す場合がある。
【００２５】
図１及び図３に示すように、島設備１０は、左右方向に沿って延びている長方形の設置台５１を備えている。例えば、設置台５１は、金属製の枠状部材であってもよく、木製の板状部材であってもよい。例えば、設置台５１は、アンカーボルトなどの固定手段によって、設置場所の床面に固定される。
【００２６】
島設備１０は、設置台５１の上方に固定されており、且つ、左右方向に沿って延びている下台枠５２を備えている。例えば、下台枠５２は、平面視において左右方向に沿って延びている長方形の下枠体５２ａ及び上枠体５２ｂと、下枠体５２ａの上方に上枠体５２ｂを支持する複数の支持柱５２ｃと、を備えている。下台枠５２は、全体として、左右方向に沿って延びている直方体状のフレームである。支持柱５２ｃは、前後方向における下台枠５２の両端部にそれぞれ設けられている。本実施形態において、上枠体５２ｂの上面のうち、前後方向における縁部（外側の縁部）は、左右方向に沿って延びており、且つ、パチンコ遊技機１１を支持するための下支持面５２ｄとされている。
【００２７】
島設備１０は、下台枠５２の上枠体５２ｂから上方に向かって延びている複数の支持枠５３を備えている。複数の支持枠５３は、上下方向に沿って延びており、且つ、前後方向に沿って並んでいる第１柱部５３ａ及び第２柱部５３ｂと、柱部５３ａ，５３ｂを下端部において連結している下連結部５３ｃと、柱部５３ａ，５３ｂを上端部において連結している上連結部５３ｄと、をそれぞれ備えている。複数の支持枠５３は、側面視において、上下方向に沿って延びている長方形の枠体である。柱部５３ａ，５３ｂ及び連結部５３ｃ，５３ｄは、中実又は中空の角材であってもよく、長手方向と直交する平面で切断したときの断面がコの字型の溝型材（チャンネル材）であってもよい。前後方向に沿った支持枠５３の長さは、前後方向に沿った下台枠５２の長さよりも短い。また、平面視において、支持枠５３は、前後方向に沿った下台枠５２の中央又は略中央に固定されている。
【００２８】
複数の支持枠５３は、柱部５３ａ，５３ｂの上端部のそれぞれに、他方の柱部とは反対側の面から突出している取付部５３ｅを備えている。即ち、取付部５３ｅ，５３ｅは、柱部５３ａ，５３ｂの上端部のそれぞれから、外側に向かって前後方向に沿って延びている。取付部５３ｅ，５３ｅは、中実又は中空の角材であってもよく、溝型材（チャンネル材）であってもよい。
【００２９】
図１に示すように、島設備１０において、複数の支持枠５３は、左右方向に沿って所定の間隔で立設されている。好ましくは、複数の支持枠５３は、左右方向に沿って、２つのパチンコ遊技機１１を設置できる距離ごとに設けられている。
【００３０】
島設備１０は、左右方向に沿って延びており、且つ、正面視において長方形の枠状である１又は複数の上台枠５４を備えている。上台枠５４は、隣り合う２つの支持枠５３における取付部５３ｅの先端部に対して固定されており、支持枠５３，５３の上端部同士を連結している。
【００３１】
上台枠５４は、左右方向に沿って延びている上枠材５５及び下枠材５６と、下枠材５６の上方に上枠材５５を支持している左支持材５７ａ及び右支持材５７ｂと、を備えている。上台枠５４は、左支持材５７ａと右支持材５７ｂとの間において、下枠材５６の上方に上枠材５５を支持している中支持材５７ｃを備えている。
【００３２】
本実施形態において、下枠材５６は、左右方向と直交する平面で切断したときの断面が上方に開口しているコの字型の溝型材（チャンネル材）である。枠材５５，５７ａ〜５７ｃは、中実又は中空の角材であってもよく、溝型材（チャンネル材）であってもよい。上台枠５４（下枠材５６）の下面は、パチンコ遊技機１１を支持する上支持面５４ａとされている。
【００３３】
図１及び図３に示すように、島設備１０は、遊技者の所有物や、遊技者が遊技球を貯留する箱（所謂、ドル箱）を載置するためのテーブル５８を備えている。テーブル５８は、左右方向に沿って延びており、且つ、平面視において、下台枠５２よりも前後方向における外側に突出している。テーブル５８は、下台枠５２の支持面５２ｄに固定されている。
【００３４】
島設備１０は、テーブル５８の上部に、パチンコ遊技機１１の底板２２を固定するための１又は複数の下設置板６０を備えている。下設置板６０は、平板状の部材であって、下台枠５２の下支持面５２ｄ（テーブル５８）に対して移動不能に固定されている。本実施形態の下設置板６０は、底板２２を釘打ちにより固定可能な材料製である。例えば、下設置板６０は、ベニヤ板などの木製である。本実施形態において、左右方向に沿った下設置板６０の長さは、左右方向に沿ったパチンコ遊技機１１の長さの２倍以上の長さである。
【００３５】
また、島設備１０は、上台枠５４の上支持面５４ａ側に、パチンコ遊技機１１の天板２１を固定するための複数の上設置板６１を備えている。複数の上設置板６１は、平板状の部材である。複数の上設置板６１は、天板２１を釘打ちにより固定可能に構成されている。本実施形態において、左右方向に沿った下設置板６０の長さは、左右方向に沿ったパチンコ遊技機１１の長さと同一又は略同一である。
【００３６】
ここで、本実施形態では、下台枠５２、左右方向に隣り合う２つの支持枠５３、及び上台枠５４によって、左右方向に２つのパチンコ遊技機１１を並べて設置するための設置領域６２が形成されている。島設備１０は、１つの設置領域６２を備えていてもよく、複数の設置領域６２を備えていてもよい。１つの設置領域６２には、２つの設置部６２ａ，６２ａが左右方向に沿って並ぶように設けられている。そして、複数の設置部６２ａには、上設置板６１がそれぞれ各別に設けられている。その一方で、下設置板６０は、１つの設置領域６２に１つ設けられている。即ち、下設置板６０は、複数の設置部６２ａにまたがって設けられている。
【００３７】
本実施形態の島設備１０において、上台枠５４の上支持面５４ａと、下台枠５２の下支持面５２ｄとは、他の部材が存在していない状態において、相互に向かい合っている。即ち、平面視において、上支持面５４ａと下支持面５２ｄとは、相互に重なり合っている。したがって、島設備１０において、上設置板６１と下設置板６０とは、パチンコ遊技機１１が存在していない状態において、相互に向かい合っている。即ち、平面視において、上設置板６１と下設置板６０とは、相互に重なり合っている。
【００３８】
島設備１０は、上台枠５４の前面（外側）に、上幕板６３ａを備えている。また、島設備１０は、下台枠５２の前面（外側）に、下幕板６３ｂを備えている。上下の幕板６３ａ，６３ｂは、左右方向に沿って延びており、且つ、正面視において長方形の板状である。例えば、幕板６３ａ，６３ｂは、前面に絵柄や文字といった各種の装飾が施されていてもよい。
【００３９】
本実施形態において、下設置板６０及び上設置板６１は、遊技機の枠体としての外枠体２０が取り付けられる取付部に相当する。上設置板６１は、外枠体２０のうち第１部位としての天板２１が取り付けられる第１取付部に相当する。また、下設置板６０は、天板２１とは反対側の第２部位としての底板２２が取り付けられる第２取付部に相当する。
【００４０】
本実施形態の島設備１０は、パチンコ遊技機１１の傾き（傾斜）を調整可能に構成された傾き調整機構７０を備えている。
図４〜図８に示すように、本実施形態の傾き調整機構７０は、上設置板６１と、上台枠５４のうち下枠材５６と、パチンコ遊技機１１の傾きを調整する操作が可能な操作部７１と、を含んで構成されている。以下、傾き調整機構７０に関する構造について、詳細に説明する。
【００４１】
図４及び図５に示すように、上台枠５４の下枠材５６は、左右方向に沿って延びている平板状の底板５６ａを備えている。下枠材５６は、底板５６ａにおける前側（外側）の端部５６ｂから上方に向かって延びており、且つ、左右方向に沿って延びている平板状の前板５６ｃを備えている。下枠材５６は、底板５６ａにおける後側（内側）の端部５６ｄから上方に向かって延びており、且つ、左右方向に沿って延びている平板状の後板５６ｅを備えている。本実施形態において、前板５６ｃ及び後板５６ｅが延びている上方向は、底板５６ａから離間する方向に相当する。前板５６ｃは、第１壁に相当し、後板５６ｅは、第２壁に相当する。
【００４２】
下枠材５６は、前板５６ｃの上端部から下端部側へ切り欠くようにして形成された第１係止部としての前係止部５６ｆを備えている。下枠材５６は、後板５６ｅの上端部から下端部側へ切り欠くようにして形成された第２係止部としての後係止部５６ｇを備えている。前係止部５６ｆと後係止部５６ｇとは、前後方向に沿って並んでいる。好ましくは、前係止部５６ｆと後係止部５６ｇとは、前方かた見たときに整合一致している。
【００４３】
下枠材５６は、底板５６ａに、前後方向に沿って延びている長孔５６ｈを備えている。平面視において、前係止部５６ｆと、後係止部５６ｇと、長孔５６ｈとは、前後方向に沿って並んでいる。好ましくは、前係止部５６ｆと、後係止部５６ｇと、長孔５６ｈとは、左右方向における中心線が一致している。本実施形態において、下枠材５６の底板５６ａは、上設置板６１と対向している対向部に相当する。
【００４４】
図４及び図６に示すように、上設置板６１は、釘打ちによって外枠体２０の天板２１を固定可能な基礎板部６１ａを備えている。例えば、基礎板部６１ａは、ベニヤ板などの木製や、樹脂材料製である。基礎板部６１ａは、左右方向に沿って延びている平板状である。例えば、左右方向に沿った基礎板部６１ａの長さは、左右方向に沿ったパチンコ遊技機１１の長さと同一又は略同一である。上設置板６１は、基礎板部６１ａの前側（外側）の端部を覆っている化粧部材６１ｂ，６１ｃを備えている。
【００４５】
図８に示すように、上設置板６１は、基礎板部６１ａを上下方向に沿って貫通している締結ボルト孔６１ｄを備えている。締結ボルト孔６１ｄには、締結ボルト６４が挿通される。上設置板６１は、締結ボルト孔６１ｄの下端部側に、締結ボルト６４の頭部６４ａを収容するための座繰り部６１ｅを備えている。締結ボルト６４の軸部６４ｂを締結ボルト孔６１ｄに挿通し、且つ、締結ボルト６４の頭部６４ａを座繰り部６１ｅに収容した状態では、締結ボルト６４の頭部６４ａが基礎板部６１ａの下面から突出しない。
【００４６】
図４及び図６に示すように、下設置板６０は、基礎板部６１ａの上面側に固定されている補強板６１ｆを備えている。補強板６１ｆは、前後方向に沿って延びている長方形の板状である。補強板６１ｆは、上下方向に貫通しており、且つ、平面視において締結ボルト孔６１ｄと整合一致している挿通孔６１ｇを備えている。補強板６１ｆは、平面視において挿通孔６１ｇを囲う環状であって、且つ、上方に向かって延びているスペーサ部６１ｈを備えている。本実施形態のスペーサ部６１ｈは、平面視において円形である。スペーサ部６１ｈは、平面視において楕円形や四角形であってもよい。
【００４７】
本実施形態において、補強板６１ｆの上面からスペーサ部６１ｈの先端面までの上下方向に沿った長さ（以下、スペーサ部高さＨと示す）は、下枠材５６における底板５６ａの上下方向に沿った長さ（以下、板厚Ｔと示す）よりも長い。また、平面視において、左右方向に沿ったスペーサ部６１ｈの長さ（幅）は、左右方向に沿った長孔５６ｈの長さ（幅）よりも僅かに短い。
【００４８】
次に、操作部７１について説明する。
図４に示すように、操作部７１は、前後方向に沿って延びている傾き調整ボルト７２と、傾き調整ボルト７２によって前後方向に移動される調整ブロック７３と、を備えている。
【００４９】
傾き調整ボルト７２について説明する。
本実施形態の傾き調整ボルト７２は、頭部７２ａと、軸部７２ｂと、を備えている。傾き調整ボルト７２は、軸部７２ｂに固定されている第１固定環７２ｃと第２固定環７２ｄとを備えている。軸部７２ｂの長さ方向に沿った固定環７２ｃ，７２ｄの離間距離は、下枠材５６における前板５６ｃの前後方向に沿った長さ（厚さ）よりも僅かに大きい。固定環７２ｃ，７２ｄは、軸部７２ｂの長さ方向における中央よりも基端部（頭部７２ａ）側に設けられている。
【００５０】
調整ブロック７３について説明する。
図７（ａ）〜（ｆ）に示すように、調整ブロック７３は、全体として四角箱状の部材である。調整ブロック７３は、左右方向における略中央において、前後方向に沿って延びている挿通溝７３ａを備えている。左右方向に沿った挿通溝７３ａの長さ（幅）、及び、上下方向に沿った挿通溝７３ａの長さ（高さ）は、傾き調整ボルト７２の軸部７２ｂの直径よりも長い。
【００５１】
調整ブロック７３は、傾き調整ボルト７２の軸部７２ｂを螺入するための調整ボルト孔７４ａを備えている。調整ボルト孔７４ａは、挿通溝７３ａの内部に配置されている。調整ボルト孔７４ａは、正面視において四角板状の金属片７４を、前後方向に沿って貫通するように形成されている。金属片７４は、調整ブロック７３に固定されている。金属片７４は、調整ブロック７３の下面から上面側に向かって延びている固定穴７３ｂに対する圧入によって固定されている。例えば、金属片７４は、接着剤、ネジ、及びボルトなどの固定手段によって固定されていてもよい。
【００５２】
調整ブロック７３は、締結ボルト６４の軸部６４ｂを螺入するための締結ボルト孔７５ａを備えている。例えば、締結ボルト孔７５ａは、挿通溝７３ａに露出していてもよい。締結ボルト孔７５ａは、平面視において六角形のブロック状である金属片７５を、上下方向に沿って貫通するように形成されている。例えば、金属片７５は、ナットである。金属片７５は、調整ブロック７３に固定されている。金属片７４は、調整ブロック７３と一体成型することによって固定されている。例えば、金属片７５は、接着剤、ネジ、及びボルトなどの固定手段によって固定されていてもよい。本実施形態の金属片７５は、調整ブロック７３の下面に露出しており、該調整ブロック７３の下面を構成している。
【００５３】
図８に示すように、調整ブロック７３は、チャンネル型である下枠材５６内に収容されている。具体的に言えば、調整ブロック７３は、前板５６ｃと後板５６ｅとの間に配設されている。したがって、本実施形態において、調整ブロック７３は、底板５６ａを挟んで上設置板６１とは反対側に配置されている第１連結部に相当する。
【００５４】
そして、傾き調整ボルト７２の軸部７２ｂは、調整ブロック７３の調整ボルト孔７４ａに螺入させた状態において、前板５６ｃの前係止部５６ｆと、後板５６ｅの後係止部５６ｇと、に架け渡すように設置されている。具体的に、軸部７２ｂの基端部（前側）は、固定環７２ｃ，７２ｄの間に前板５６ｃが位置するように、前係止部５６ｆに挿し込まれている。また、軸部７２ｂの先端部は、後係止部５６ｇに挿し込まれている。本実施形態において、傾き調整ボルト７２は、前後方向に沿って延びている棒状であり、調整ブロック７３と連結されている第３連結部に相当する。軸部７２ｂの基端部（前側）は、第１端部に相当し、軸部７２ｂの先端部は、第２端部に相当する。
【００５５】
そして、締結ボルト６４は、上設置板６１の締結ボルト孔６１ｄ、及び挿通孔６１ｇを挿通させた状態で、調整ブロック７３の締結ボルト孔７５ａに螺入されている。この状態において、スペーサ部６１ｈは、長孔５６ｈに挿通されている。スペーサ部６１ｈの上面（先端面）は、調整ブロック７３（金属片７５）の下面と接触している。このように、締結ボルト６４は、調整ブロック７３と上設置板６１とを締結している。したがって、本実施形態において、締結ボルト６４は、長孔５６ｈに挿通された状態で上設置板６１と調整ブロック７３とを連結（締結）している第２連結部に相当する。そして、上設置板６１は、下枠材５６の下側に吊り下げられるようにして支持される。
【００５６】
また、上述のように、スペーサ部高さＨは、下枠材５６における底板５６ａの板厚Ｔよりも長い。したがって、本実施形態の傾き調整機構７０において、下枠材５６の底板５６ａは、調整ブロック７３と上設置板６１（補強板６１ｆ）との間に配置されているものの、調整ブロック７３と上設置板６１（補強板６１ｆ）とによって挟持されてはいない。このように、締結ボルト６４によって上設置板６１と調整ブロック７３とが連結されている状態において、上設置板６１と調整ブロック７３との離間距離は、少なくとも一部において底板５６ａの厚さよりも長い。
【００５７】
また、平面視において、左右方向に沿ったスペーサ部６１ｈの長さ（幅）は、左右方向に沿った長孔５６ｈの長さ（幅）よりも僅かに短い。したがって、上設置板６１は、調整ブロック７３と締結された状態のまま、相互に連れ立って前後方向に沿って移動が可能である。即ち、本実施形態において、上設置板６１は、下枠材５６に対して移動可能に構成されている。
【００５８】
また、上述のように、調整ブロック７３は、チャンネル型である下枠材５６内に収容されている。したがって、調整ブロック７３は、上設置板６１の移動に伴って、前後方向における底板５６ａの前側（外側）の端部５６ｂと、端部５６ｂとは反対側の後側（内側）の端部５６ｄと、の間の範囲内において移動可能に構成されている。本実施形態において、前側（外側）の端部５６ｂは、第１端部に相当し、後側（内側）の端部５６ｄは、第２端部に相当する。
【００５９】
図１に示すように、本実施形態の島設備１０は、設置部６２ａごとに傾き調整機構７０を２つずつ備えている。２つの傾き調整機構７０のうち、一方の傾き調整機構７０は、左右方向における設置部６２ａの中央よりも左方であって、設置部６２ａの上部に設けられている。２つの傾き調整機構７０のうち、他方の傾き調整機構７０は、左右方向における設置部６２ａの中央よりも右方であって、設置部６２ａの上部に設けられている。本実施形態において、２つの傾き調整機構７０は、設置部６２ａにおいて、左右対称に設けられている。設置部６２ａのそれぞれにおいて、上設置板６１は、２つの傾き調整機構７０によって、下枠材５６の下方に吊り下げられるようにして支持されている。
【００６０】
本実施形態において、設置台５１、下台枠５２、支持枠５３、及び上台枠５４は、下設置板６０及び上設置板６１を支持する支持部８１を構成している。例えば、支持部８１の内部には、パチンコ遊技機１１に対して遊技球を供給するための供給路、パチンコ遊技機１１から遊技球を回収するための回収路、パチンコ遊技機１１から回収した遊技球を上記供給路へと揚送するための揚送装置などが配設される。また、例えば、支持部８１の内部には、パチンコ遊技機１１と遊技店に設置されているホルコンとを接続するための配線や、パチンコ遊技機１１に対して電源を供給するための配線などが設置される。
【００６１】
次に、島設備１０におけるパチンコ遊技機１１の設置方法について、その作用とともに説明する。
パチンコ遊技機１１の設置方法は、外枠体２０を釘打ちする第１固定工程及び第２固定工程と、パチンコ遊技機１１の傾きを調整する調整工程と、が含まれている。
【００６２】
図９（ａ）及び（ｂ）に示すように、第１固定工程は、底板２２を下設置板６０に対して固定する工程である。第１固定工程では、底板２２を貫通して下設置板６０に到達するように１又は複数の釘８０を打ち込む。第２固定工程は、天板２１を上設置板６１に対して固定する固定である。第２固定工程では、天板２１を貫通して上設置板６１（基礎板部６１ａ）に到達するように１又は複数の釘８０を打ち込む。第１固定工程及び第２固定工程のうち、先に行う工程は、第１固定工程及び第２固定工程の何れであってもよい。
【００６３】
そして、調整工程は、傾き調整機構７０を操作することによって、パチンコ遊技機１１の傾き（傾斜）を調整する工程である。図中において矢印Ｙ１に示すように、調整ブロック７３は、傾き調整ボルト７２を軸部７２ｂの軸線まわりにおける第１方向へ回転させることにより、前側へ移動される。調整ブロック７３は、締結ボルト６４によって上設置板６１と締結されており、さらに、上設置板６１には、外枠体２０の天板２１が固定されている。したがって、傾き調整ボルト７２を第１方向へ回転させることにより、外枠体２０の天板２１側を前側へ移動させ、パチンコ遊技機１１の全体の傾きを前傾姿勢側へ調整することができる。
【００６４】
図中において矢印Ｙ２に示すように、調整ブロック７３は、傾き調整ボルト７２を第１方向とは反対の第２方向へ回転させることにより、後側へ移動される。したがって、傾き調整ボルト７２を第２方向へ回転させることにより、外枠体２０の天板２１側を後側へ移動させ、パチンコ遊技機１１の全体の傾きを後傾姿勢側へ調整することができる。
【００６５】
上述したように、下設置板６０は、下台枠５２に対して移動不能に固定されている。したがって、調整工程において、底板２２と下設置板６０とを固定している釘８０は、パチンコ遊技機１１の傾動に伴って屈曲し、パチンコ遊技機１１の傾きを調整する場合の起点となる。このように、本実施形態において、取付部の一部にあたる上設置板６１は、下枠材５６に対して、パチンコ遊技機１１の傾きを調整する調整方向に沿って移動可能に構成されている。本実施形態において、前後方向は、パチンコ遊技機１１の傾きの調整方向に相当する。
【００６６】
また、傾き調整機構７０において、下枠材５６の底板５６ａは、調整ブロック７３と上設置板６１（補強板６１ｆ）との間に配置されているものの、調整ブロック７３と上設置板６１（補強板６１ｆ）とによって挟持されてはいない。したがって、傾き調整機構７０では、底板５６ａと調整ブロック７３との間や、底板５６ａと上設置板６１（補強板６１ｆ）との間における摩擦によって、パチンコ遊技機１１の傾きを調整し難くなることが抑制される。
【００６７】
また、本実施形態の島設備１０では、設置部６２ａごとに２つの傾き調整機構７０を備えている。したがって、パチンコ遊技機１１の左側と右側のそれぞれにおける傾きを所望の傾きに調整できる。
【００６８】
したがって、本実施形態によれば、以下のような効果を得ることができる。
（１）本実施形態によれば、パチンコ遊技機１１（枠体１２）が取り付けられた上設置板６１を移動させることによって、パチンコ遊技機１１の傾きを調整することが可能になる。したがって、パチンコ遊技機１１の傾きを容易に調整できる。
【００６９】
（２）本実施形態によれば、下設置板６０は下台枠５２に対して移動不能に固定されている。したがって、上設置板６１を調整方向に相当する前後方向に沿って移動させるだけで、下設置板６０側を起点として、簡便にパチンコ遊技機１１の傾きを調整できる。
【００７０】
（３）本実施形態によれば、長孔５６ｈに沿って上設置板６１及び調整ブロック７３を移動させることで、簡便な構成により、パチンコ遊技機１１の傾きを調整できる。
（４）本実施形態によれば、スペーサ部高さＨは、下枠材５６における底板５６ａの板厚Ｔよりも長い。このため、上設置板６１及び調整ブロック７３を移動させるときに、長孔５６ｈまわりにおいて、上設置板６１及び調整ブロック７３が底板５６ａ（下枠材５６）に接触することを抑制できる。したがって、パチンコ遊技機１１の傾きを容易に調整できる。
【００７１】
（５）本実施形態によれば、調整ブロック７３は、上設置板６１の移動に伴って、前後方向における底板５６ａの端部５６ｂ，５６ｄの間の範囲内において移動可能に構成されている。したがって、調整ブロック７３が底板５６ａ（下枠材５６）から前後方向に沿って突出しない。したがって、例えば、島設備１０の内部に配設される他の部品との干渉を少なくできる。
【００７２】
（６）本実施形態によれば、係止部５６ｆ，５６ｇに傾き調整ボルト７２を係止させることで、調整ブロック７３を簡単に設置できる。
（７）本実施形態によれば、島設備１０は、複数の設置部６２ａを備えていることから、島設備１０に複数のパチンコ遊技機１１を設置できるとともに、個々の設置部６２ａに配置された上設置板６１を移動させることにより、複数のパチンコ遊技機１１のそれぞれについて、個別に傾きを調整できる。
【００７３】
（８）本実施形態によれば、相互に当接する金属片７５及び補強板６１ｆは、何れも強度が高い金属製である。したがって、締結ボルト６４によって、上設置板６１と調整ブロック７３とを強く締結することが可能である。
【００７４】
（９）上設置板６１は、設置部６２ａごとに設けられている。このため、上設置板６１は、パチンコ遊技機１１の交換が複数回にわたって行われて老朽化したときに、交換が簡単にできる。
【００７５】
なお、上記実施形態は、次のような別の実施形態（別例）にて具体化できる。
・図１０に示すように、傾き調整機構７０は、カバー７７を備えていてもよい。例えば、カバー７７は、調整ブロック７３を覆っている箱状であるとよい。
【００７６】
・図１０及び図１１に示すように、傾き調整機構７０は、パチンコ遊技機１１の傾きを調整するときに参照できる指標情報が付与されていてもよい。例えば、指標情報は、カバー７７に目盛り７７ａとして設けられているとよい。この場合、図１１に示すように、金属片７４の上端部を上方に延長するとともに、該延長した部分に調整ブロック７３の位置を指示する指示部材７８を取り付けるとよい。これによれば、指示部材７８によって指示される位置と、目盛り７７ａと、を参照することによって、パチンコ遊技機１１の傾きを所望の傾きに調整し易くできる。
【００７７】
・図１０に示すように、傾き調整機構７０は、傾き調整ボルト７２に動力を伝達可能に接続されており、調整ブロック７３を前後方向に沿って移動させる動力手段としてのアクチュエータ８２を備えていてもよい。例えば、アクチュエータは、ステッピングモータであるとよい。本別例によれば、アクチュエータ８２の動力によって、傾き調整ボルト７２を回転させることで、調整ブロック７３とともに上設置板６１を移動させ、簡単にパチンコ遊技機１１の傾きを調整できる。アクチュエータ８２は、動力を伝達できるように、傾き調整ボルト７２の頭部７２ａに接続されていてもよく、軸部７２ｂの先端部に接続されていてもよい。
【００７８】
・傾き調整機構７０は、アクチュエータ８２の動作を制御する制御手段（コントローラ）としての傾き制御部８３を備えていてもよい。傾き制御部８３は、ＣＰＵなどの処理部と、ＲＡＭやＲＯＭなどの記憶部と、を備えるとよい。例えば、傾き制御部８３は、パチンコ遊技機１１の傾きを検知するとともに、該検知結果に基づいてアクチュエータ８２を制御し、パチンコ遊技機１１の傾きを自動的に所定の傾きとなるように調整してもよい。例えば、傾き制御部８３は、操作手段としての操作ボタンを備え、該操作ボタンの操作に基づいてアクチュエータ８２を制御し、上設置板６１を移動させてもよい。傾き制御部８３は、島設備１０に搭載されていてもよく、必要なときにだけアクチュエータ８２に接続する外部装置として構成されていてもよい。本別例によれば、傾き制御部８３によりアクチュエータ８２を制御できることから、調整ブロック７３とともに上設置板６１を移動させ、簡単にパチンコ遊技機１１の傾きを調整できる。
【００７９】
・調整ブロック７３の形状は変更してもよい。例えば、調整ブロック７３は、全体として、六角柱形であってもよく、円柱状であってもよい。
・島設備１０は、１つの設置部６２ａを備えていてもよい。設置領域６２は、１つの設置部６２ａを備えていてもよく、３つ以上の設置部６２ａを備えていてもよい。
【００８０】
・設置部６２ａは、１つの傾き調整機構７０を備えていてもよく、３つ以上の傾き調整機構７０を備えていてもよい。
・傾き調整ボルト７２は、第１固定環７２ｃを省略し、頭部７２ａと共用されていてもよい。
【００８１】
・島設備１０は、上設置板６１に加えて、又は代えて、下設置板６０が前後方向に沿って移動可能に構成されていてもよい。設置板６０，６１の両方を移動可能に構成する場合、取付部の全部は、前後方向に沿って移動可能に構成されているといえる。
【００８２】
・島設備１０は、下設置板６０及び上設置板６１を含んで構成された四角枠状の取付部を備えていてもよい。
・設置板６０，６１に対して外枠体２０を取り付けるための構造は、適宜変更してもよい。例えば、外枠体２０は、設置板６０，６１に対してネジ止めされていてもよく、ボルトによって固定されていてもよく、ロック機構により取り付けられていてもよい。
【００８３】
・上設置板６１は、設置部６２ａごとに複数備えられていてもよい。例えば、傾き調整機構７０ごとに分割して上設置板６１を備えているとよい。上設置板６１は、複数の設置部６２ａごとに１つ備えられていてもよい。
【００８４】
・下設置板６０は、設置部６２ａごとに１つずつ備えられていてもよい。下設置板６０は、複数の設置領域６２にまたがって設けられていてもよい。
・スペーサ部６１ｈは、環状である必要はなく、挿通孔６１ｇの周囲を囲むように配置された複数の突出部により構成されていてもよい。
【００８５】
・上設置板６１と調整ブロック７３とは、締結ボルト６４に加えて、又は代えて、異なる第２連結手段によって締結されていてもよい。例えば、上設置板６１と調整ブロック７３とは、釘打ちやネジ止めにより固定されていてもよく、圧入や接着により固定されていてもよい。
【００８６】
・島設備１０は、該島設備１０の両方側にパチンコ遊技機１１を設置可能に構成されていてもよい。
・島設備１０に設置する遊技機は、遊技媒体として遊技球やメダルを用いるスロットマシンであってもよい。
【００８７】
以下、上記実施形態及び別例から把握できる技術的思想について追記する。
（イ）前記調整方向に沿って延びている棒状であり、前記第１連結部と連結されている第３連結部と、前記第１端部において前記第１取付部から離間する方向に沿って延びている第１壁と、前記第２端部において前記第１取付部から離間する方向に沿って延びている第２壁と、前記第１壁にあり、前記第３連結部の第１端部が係止可能な第１係止部と、前記第２壁にあり、前記第３連結部の第２端部が係止可能な第２係止部と、を備えている。
【００８８】
（ロ）前記調整方向に沿って延びている棒状であり、前記第１連結部と連結されている第３連結部と、前記第３連結部に動力を伝達可能に接続されており、前記第３連結部を前記調整方向に沿って移動させる動力手段と、を備えている。
【００８９】
（ハ）前記動力手段を制御する制御手段を備えている。
（ニ）遊技機を設置するための複数の設置部を備え、前記取付部は、前記枠体のうち第１部位が取り付けられる第１取付部と、前記第１部位とは反対側の第２部位が取り付けられる第２取付部と、を含み、前記複数の設置部には、前記第１取付部がそれぞれ各別に設けられている。
【符号の説明】
【００９０】
１０…島設備、１１…パチンコ遊技機（遊技機）、１２…遊技枠体、２０…外枠体、２１…天板、２２…底板、３０…中枠体、４０…前枠体、５１…設置台、５２…下台枠、５３…支持枠、５４…上台枠、５６…下枠材、５６ａ…底板、５６ｂ…端部、５６ｃ…前板、５６ｄ…端部、５６ｅ…後板、５６ｆ…前係止部、５６ｇ…後係止部、５６ｈ…長孔、６０…下設置板、６１…上設置板、６２ａ…設置部、６４…締結ボルト、８１…支持部、７２…傾き調整ボルト、７３…調整ブロック、７８…アクチュエータ、７９…傾き制御部、８１…支持部。
【図１】
2018064763.tif 000003
【図２】
2018064763.tif 000004
【図３】
2018064763.tif 000005
【図４】
2018064763.tif 000006
【図５】
2018064763.tif 000007
【図６】
2018064763.tif 000008
【図７】
2018064763.tif 000009
【図８】
2018064763.tif 000010
【図９】
2018064763.tif 000011
【図１０】
2018064763.tif 000012
【図１１】
2018064763.tif 000013